(57)【要約】【課題】梱包箱に収納された照明器具への衝撃力を適切に緩和することが可能な照明器具用梱包材を提供する。【解決手段】この照明器具用梱包材３０は、内部に１本の直管型のＬＥＤ式蛍光灯５０を収納する梱包箱１０と、ＬＥＤ式蛍光灯５０の管軸方向（Ｘ方向）の端部５２ｂおよび端部５２ｂ近傍の側面部５２ｃの周囲を取り囲んだ状態でＬＥＤ式蛍光灯５０とともに梱包箱１０に挿入され、ＬＥＤ式蛍光灯５０への衝撃を緩和する緩衝部材２０とを備える。そして、緩衝部材２０は、キャップ部５２の側面部５２ｃを取り囲むとともに側方の衝撃を緩和する壁部２１ａ〜２１ｄと、キャップ部５２の端部５２ｂを管軸方向（Ｘ方向）から受け止めて管軸方向の衝撃を緩和する台座部２６とを含む。【選択図】図１
2013244973.tif 000002
【特許請求の範囲】
【請求項１】
内部に１本の直管型の照明器具を収納する梱包箱と、
前記照明器具の管軸方向の端部および前記端部近傍の側面部分の周囲を取り囲んだ状態で前記照明器具とともに前記梱包箱に挿入され、前記照明器具への衝撃を緩和する緩衝部材とを備え、
前記緩衝部材は、前記照明器具の端部近傍の側面部分の周囲を取り囲むとともに側方の衝撃を緩和する側方緩衝部と、前記照明器具の端部を前記管軸方向から受け止めて前記管軸方向の衝撃を緩和する底部緩衝部とを含む、照明器具用梱包材。
【請求項２】
前記側方緩衝部は、四角筒状である、請求項１に記載の照明器具用梱包材。
【請求項３】
前記側方緩衝部は、前記照明器具を挿入するための開口縁部が前記梱包箱側に折り曲げられた折曲片部を有する、請求項１または２に記載の照明器具用梱包材。
【請求項４】
前記照明器具は、前記照明器具の端部から突出する電極端子を有しており、
前記底部緩衝部は、前記照明器具の端部が対向した状態で前記電極端子を収納する収納部を有する、請求項１〜３のいずれか１項に記載の照明器具用梱包材。
【請求項５】
前記照明器具は、直管状の光源部と、前記光源部の前記管軸方向の両端部に取り付けられる管状のキャップ部とを有しており、
前記緩衝部材は、前記キャップ部の前記管軸方向の端部と前記キャップ部の側面部とを取り囲んだ状態で、前記照明器具とともに前記梱包箱に挿入されるように構成されている、請求項１〜４のいずれか１項に記載の照明器具用梱包材。
【発明の詳細な説明】
【技術分野】
【０００１】
この発明は、照明器具用梱包材に関し、特に、１本の直管型の照明器具を収納する梱包箱を備えた照明器具用梱包材に関する。
【背景技術】
【０００２】
従来、１本の直管型の照明器具を収納する梱包箱を備えた照明器具用梱包材が知られている（たとえば、特許文献１参照）。
【０００３】
上記特許文献１には、内部に１本の直管型の蛍光ランプを収納する四角筒状のケース本体を備えた包装ケース（照明器具用梱包材）が開示されている。この包装ケースでは、四角筒状のケース本体の長手方向の両端部に上下左右に区画された４個の曲折片がそれぞれ形成されており、４個の曲折片の外周に沿って熱収縮フィルムが巻回されている。蛍光ランプの包装工程においては、ケース本体に蛍光ランプが挿入された状態で両端部の曲折片に巻回された熱収縮フィルムが加熱されることにより熱収縮フィルムが収縮される。この結果、各端部において曲折片同士が内側に斜めに倒れ込み、ケース本体端部がテーパ状（先細り状）に形成される。これにより、蛍光ランプの口金部分がテーパ状となった曲折片の内壁面に接触してケース本体に直接的に係止されるように構成されている。
【先行技術文献】
【特許文献】
【０００４】
【特許文献１】特開２０１１−６８３８３号公報
【発明の概要】
【発明が解決しようとする課題】
【０００５】
しかしながら、上記特許文献１に記載された包装サックでは、ケース本体の一部分を構成する端部の曲折片が蛍光ランプの口金部分に直接的に接触するため、ケース本体に不意な衝撃力が加わった場合にこの衝撃力が曲折片から蛍光ランプに直接的に伝わると考えられる。したがって、この包装サックでは、収納された蛍光ランプ（照明器具）への衝撃力をケース本体（梱包箱）によって適切に緩和することができないという問題点がある。
【０００６】
この発明は、上記のような課題を解決するためになされたものであり、この発明の１つの目的は、梱包箱に収納された照明器具への衝撃力を適切に緩和することが可能な照明器具用梱包材を提供することである。
【課題を解決するための手段】
【０００７】
この発明の一の局面による照明器具用梱包材は、内部に１本の直管型の照明器具を収納する梱包箱と、照明器具の管軸方向の端部および端部近傍の側面部分の周囲を取り囲んだ状態で照明器具とともに梱包箱に挿入され、照明器具への衝撃を緩和する緩衝部材とを備え、緩衝部材は、照明器具の端部近傍の側面部分の周囲を取り囲むとともに側方の衝撃を緩和する側方緩衝部と、照明器具の端部を管軸方向から受け止めて管軸方向の衝撃を緩和する底部緩衝部とを含む。
【０００８】
この発明の一の局面による照明器具用梱包材では、上記のように、照明器具とともに梱包箱に挿入され照明器具への衝撃を緩和する緩衝部材を、照明器具の端部近傍の側面部分の周囲を取り囲むとともに側方の衝撃を緩和する側方緩衝部と、照明器具の端部を管軸方向から受け止めて管軸方向の衝撃を緩和する底部緩衝部とを含むように構成することによって、照明器具は、緩衝部材によって端部およびその近傍の側面部分の周囲が取り囲まれた状態で梱包箱内に収納されるので、照明器具用梱包材が落下した場合など梱包箱に不意な衝撃力が加わったとしても、この衝撃力を緩衝部材によって受け止めることができる。この際、梱包箱の角部（端部）およびその近傍部分に加わる管軸方向および管径方向の衝撃力を、底部緩衝部と側方緩衝部とによって各々確実に緩和することができるので、梱包箱に収納された照明器具への衝撃力を適切に緩和することができる。このように、照明器具への衝撃力が適切かつ確実に緩和されるので、衝撃力が照明器具に直接的に伝わらない分、照明器具が破損することを効果的に抑制することができる。
【０００９】
上記一の局面による照明器具用梱包材において、好ましくは、側方緩衝部は、四角筒状である。このように構成すれば、側方緩衝部によって照明器具の端部近傍の側面部分を四方から取り囲むことができるので、衝撃が加わる方向に関係なく側方の衝撃を確実に緩和することができる。また、側方緩衝部が四角筒状であるので、このような緩衝部材を容易に形成することができる。
【００１０】
上記一の局面による照明器具用梱包材において、好ましくは、側方緩衝部は、照明器具を挿入するための開口縁部が梱包箱側に折り曲げられた折曲片部を有する。このように構成すれば、梱包箱側に折り曲げられた折曲片部の復元力（弾性力）を利用して側方緩衝部の緩衝効果を高めることができるとともに、緩衝部材と緩衝部材とともに収納された照明器具とが共に梱包箱内でがたつくことを容易に抑制することができる。
【００１１】
上記一の局面による照明器具用梱包材において、好ましくは、照明器具は、照明器具の端部から突出する電極端子を有しており、底部緩衝部は、照明器具の端部が対向した状態で電極端子を収納する収納部を有する。このように構成すれば、照明器具の端部に突起部（電極端子）が設けられていても突起部によって緩衝機能に支障を来たすことなく底部緩衝部の緩衝機能を確実に機能させることができる。
【００１２】
上記一の局面による照明器具用梱包材において、好ましくは、照明器具は、直管状の光源部と、光源部の管軸方向の両端部に取り付けられる管状のキャップ部とを有しており、緩衝部材は、キャップ部の管軸方向の端部と、キャップ部の側面部とを取り囲んだ状態で、照明器具とともに梱包箱に挿入されるように構成されている。このように構成すれば、梱包箱内においては緩衝部材が梱包箱の長手方向（管軸方向）の両端部に配置されて照明器具を両側から保護することができる。したがって、照明器具用梱包材が落下した際などに衝撃力が集中しやすい梱包箱の角部（端部）およびその近傍部分が緩衝部材によって確実に保護されるので、梱包箱に収納された照明器具に加わる衝撃力を効果的に緩和することができる。
【発明の効果】
【００１３】
本発明によれば、上記のように、梱包箱に収納された照明器具への衝撃力を適切に緩和することができる。
【図面の簡単な説明】
【００１４】
【図１】本発明の一実施形態による照明器具用梱包材を用いて直管型のＬＥＤ式蛍光灯を収納する際の構成を示した分解斜視図である。
【図２】本発明の一実施形態による照明器具用梱包材を構成する梱包箱に挿入される緩衝部材の構成を示した展開図である。
【図３】本発明の一実施形態による緩衝部材を組み立てる途中の状態を示した斜視図である。
【図４】本発明の一実施形態による緩衝部材が組み立てられて梱包箱に挿入される前の状態を示した斜視図である。
【図５】本発明の一実施形態による照明器具用梱包材に直管型のＬＥＤ式蛍光灯が収納された状態を示した部分断面図である。
【図６】本発明の一実施形態による照明器具用梱包材に直管型のＬＥＤ式蛍光灯を収納する様子を示した斜視図である。
【発明を実施するための形態】
【００１５】
以下、本発明の実施形態を図面に基づいて説明する。
【００１６】
図１〜図６を参照して、本発明の一実施形態による照明器具用梱包材３０の構造について説明する。
【００１７】
本発明の一実施形態による照明器具用梱包材３０は、図１に示すように、管軸方向（Ｘ方向）に沿って所定の長さを有する直管型のＬＥＤ式蛍光灯５０を内部に収納する機能を有する。これにより、ＬＥＤ式蛍光灯５０は、製品出荷時に１本１本が照明器具用梱包材３０に収納された状態で輸送されるとともに、店頭などでは照明器具用梱包材３０に収納された状態で販売される。また、ユーザによる購入後に、照明器具用梱包材３０が開けられてＬＥＤ式蛍光灯５０が取り出されるように構成されている。なお、ＬＥＤ式蛍光灯５０は、本発明の「照明器具」の一例である。
【００１８】
ＬＥＤ式蛍光灯５０は、Ｘ方向（管軸方向）に延びるとともに外側面が円筒形状（外径Ｄ１）に形成された光源部５１と、光源部５１の両端部（Ｘ方向）に固定的に嵌合された一対の樹脂製のキャップ部５２（図６参照）とを備えている。
【００１９】
光源部５１は、図１に示すように、外径Ｄ１を有する透明または半透明樹脂製のカバー部材５１ａを含んでおり、カバー部材５１ａの内部に、複数のＬＥＤ素子が実装された発光ユニット（図示せず）が内蔵されている。また、外径Ｄ１よりも若干大きい内径を有する管状のキャップ部５２は、発光ユニットへの電力を供給する電源回路部（図示せず）を収容する樹脂製のキャップ本体５２ａと、キャップ本体５２ａの端部５２ｂ（Ｘ１側）からＸ１方向に突出する一対の電極端子５３とを含んでいる。なお、図５に示すように、ＬＥＤ式蛍光灯５０が照明器具用梱包材３０に収納される状態（出荷時）では、電極端子５３には、保護用（樹脂製）のキャップ部材５４が被されている。
【００２０】
上記のようなＬＥＤ式蛍光灯５０を収納する照明器具用梱包材３０は、図１および図６に示すように、ＬＥＤ式蛍光灯５０を１本ずつ収納する梱包箱１０と、ＬＥＤ式蛍光灯５０とともに梱包箱１０に挿入される一対の緩衝部材２０とを備えている。
【００２１】
また、図１に示すように、梱包箱１０は、段ボール製品であり、ＬＥＤ式蛍光灯５０よりもＸ方向に所定長さだけ長く確保された外側面部１１を有している。外側面部１１は管軸（Ｘ方向）まわりに沿って４つの側面部１１ａからなり、外側面部１１は、隣接する側面部１１ａ同士が互いに略直角に折り曲げられて全体として四角筒状に形成されている。
【００２２】
また、梱包箱１０のＸ方向の端部には、一対のベロ部１２と、ベロ部１２を内側に閉じた状態で開口部１０ａを完全に閉じるための差込蓋１３とが設けられている。また、ベロ部１２および差込蓋１３は、梱包箱１０の両端部にそれぞれ設けられている。したがって、図６に示すように、後述する緩衝部材２０とともにＬＥＤ式蛍光灯５０を梱包箱１０に完全に挿入した状態で各々の開口部１０ａにおける一対のベロ部１２を内側（Ｐ１方向およびＰ２方向）に折り曲げて、さらにその外側から差込蓋１３を上方（Ｐ３方向）に折り曲げて差込片部１３ａを緩衝部材２０と梱包箱１０（梱包箱１０内のＺ１側において緩衝部材２０とＺ方向に対向する側面部１１ａ）との隙間に閉じ込むことにより、開口部１０ａは完全に閉じられる。
【００２３】
ここで、本実施形態では、図１に示すように、照明器具用梱包材３０では、ＬＥＤ式蛍光灯５０の端部（両端部）に配置されたキャップ部５２に緩衝部材２０をＸ方向に沿って被せた状態でＬＥＤ式蛍光灯５０を緩衝部材２０とともに梱包箱１０に挿入することが可能に構成されている。すなわち、緩衝部材２０は、ＬＥＤ式蛍光灯５０のキャップ部５２の端部５２ｂおよび端部５２ｂから管軸方向（Ｘ２方向）に延びるキャップ本体５２ａの側面部５２ｃの周囲を取り囲んだ状態でＬＥＤ式蛍光灯５０とともに梱包箱１０に挿入される。そして、この状態で、一対のベロ部１２と差込蓋１３とによって梱包箱１０（開口部１０ａ）を閉じることにより、１本のＬＥＤ式蛍光灯５０が内部に収納されるように構成されている。なお、側面部５２ｃは、本発明の「側面部分」の一例である。
【００２４】
また、本実施形態では、緩衝部材２０が梱包箱１０に挿入されて開口部１０ａが閉じられることにより、内部に収納されているＬＥＤ式蛍光灯５０への衝撃が緩和されるように構成されている。以下、照明器具用梱包材３０に、梱包箱１０とは別部材として設けられた緩衝部材２０の構成について詳細に説明する。
【００２５】
緩衝部材２０は、図２に示すような展開図に基づいて型抜きされた段ボール紙２を所定の方向に複数回折り曲げて立体的な形状が形成されるように構成されている。組立前の型抜きされた段ボール紙２においては、緩衝部材２０は、４つの壁部２１ａ、２１ｂ、２１ｃおよび２１ｄと、壁部２１ａ、２１ｂ、２１ｃおよび２１ｄにそれぞれ折り曲げ可能に接続される片部２２ａ、２２ｂ、２２ｃおよび２２ｄとを有している。なお、壁部２１ａ〜２１ｄは、本発明の「側方緩衝部」の一例である。また、片部２２ａ〜２２ｄは、本発明の「折曲片部」の一例である。
【００２６】
また、緩衝部材２０は、壁部２１ｂの折曲片部２２ｂとは反対側に接続される１つの底面部２３と、底面部２３の壁部２１ｂと直交する方向に隣接する一対の座部２４とをさらに有している。なお、座部２４については、底面部２３に対して複数回（３回）折り曲げることによって座部２４としての機能を有する立体形状が形成されるように構成されている。また、各々の座部２４には、所定位置に略矩形状に開口された開口部２５が形成されており、座部２４の開口部２５により窪まされた部分（凹部）に、キャップ部材５４が被された電極端子５３が差し込まれて収納されるように構成されている。なお、開口部２５は、本発明の「収納部」の一例である。
【００２７】
したがって、図２に示した展開図の状態から、図３に示すように段ボール紙２の各部を折曲線１０１〜１０６に沿って谷折りまたは山折りを行いながら順次折り曲げていくことによって、最終的には、図４に示すような立体形状を有する緩衝部材２０が形成可能に構成されている。なお、図１および図４においては、緩衝部材２０が梱包箱１０に収納される直前の状態を想定して図示している。
【００２８】
より具体的には、図２に示す型抜きされた状態の段ボール紙２において、折曲線１０１、１０２および１０３に沿って座部２４を紙面手前側に順次（３回）折り曲げる（谷折りする）ことにより、図３および図４に示すように、底面部２３と座部２４とによって構成される１つの台座部２６が形成される。ここで、底面部２３に対して折り曲げられた座部２４は折り曲げられた形状が固定されるわけではなく、座部２４の底面部２３とは反対側の端部領域２４ａは自由に動く（折れ曲がる）ことが可能とされている。また、台座部２６は、梱包箱１０の断面形状と同じく平面的に見て略正方形形状を有するように形成されている。
【００２９】
また、このような台座部２６を形成した状態で、図３に示すように、折曲線１０４に沿って壁部２１ｂを台座部２６側に略９０度折り曲げる（谷折りする）とともに、折曲線１０５に沿って壁部２１ａ、２１ｃおよび２１ｄを共に内側に略９０度折り曲げる（谷折りする）ことによって、図４に示すように、台座部２６と、台座部２６を四方（Ｙ方向およびＺ方向）から取り囲む内壁部２１とが一体的に形成された四角筒状の緩衝部材２０が形成されるように構成されている。なお、台座部２６は、本発明の「底部緩衝部」の一例である。
【００３０】
これにより、本実施形態では、図５に示すように、緩衝部材２０がＬＥＤ式蛍光灯５０の端部に被せられることによって、ＬＥＤ式蛍光灯５０のキャップ部５２は、緩衝部材２０の内壁部２１によって側面部５２ｃが四方（図４参照）から取り囲まれる。また、この際、緩衝部材２０の台座部２６の表面２６ａがキャップ部５２の端部５２ｂに接触してキャップ部５２をＸ方向から受け止める。したがって、緩衝部材２０がＬＥＤ式蛍光灯５０とともに梱包箱１０に挿入された状態では、照明器具用梱包材３０の上下左右の向きに関係なく、台座部２６によりＬＥＤ式蛍光灯５０への管軸方向（Ｘ方向）の衝撃が緩和されるとともに、四方からキャップ部５２の側面部５２ｃを包囲する内壁部２１（壁部２１ａ〜２１ｄ）によりＬＥＤ式蛍光灯５０への管径方向（Ｙ方向およびＺ方向）の衝撃が緩和されるように構成されている。
【００３１】
また、本実施形態では、図４に示すように、折曲線１０６に沿って片部２２ａ、２２ｂ、２２ｃおよび２２ｄを各々外側に折り曲げる（山折りする）ことによって、壁部２１ａと片部２２ａとが重なる部分、壁部２１ｂと片部２２ｂとが重なる部分、壁部２１ｃと片部２２ｃとが重なる部分および壁部２１ｄと片部２２ｄとが重なる部分の厚み（Ｙ方向およびＺ方向）が増加されるように構成されている。すなわち、キャップ部５２が挿入される四角筒状の内壁部２１（壁部２１ａ〜２１ｄ）の開口縁部２１ｇは、片部２２ａ〜２２ｄの各々によって梱包箱１０側（外側）に折り曲げられている。
【００３２】
これにより、本実施形態では、図５に示すように、緩衝部材２０がＬＥＤ式蛍光灯５０とともに梱包箱１０に挿入された状態で、折り返された片部２２ａ〜２２ｄの復元力によって片部２２ａ〜２２ｄが梱包箱１０側（矢印Ｑ１方向）に付勢されることにより、壁部２１ａ〜２１ｄによる側方の衝撃緩和に加えて、壁部２１ａ〜２１ｄの側方（Ｙ方向およびＺ方向）へのがたつきが抑制されるように構成されている。
【００３３】
また、図５に示すように、緩衝部材２０の台座部２６の表面２６ａがキャップ部５２の端部５２ｂに接触してキャップ部５２をＸ方向から受け止めた状態においては、互いに対向する座部２４の、底面部２３に接続される側とは反対側の端部領域２４ａがＹ方向にある程度自由に動く（折れ曲がる）。この場合、折曲線１０３（図２参照）により内側に折れ曲がった各々の端部領域２４ａが反対側（互いに対向する方向）に形状を復元しようとする復元力により、電極端子５３に被されているキャップ部材５４の把持部５４ａを両側から挟み込むように構成されている。また、一対の端部領域２４ａがキャップ部材５４の把持部５４ａを挟み込んで概略Ｖ字状に倒されることによって、開口部２５における表面２６ａからの垂直方向（Ｘ方向）の深さ位置が自動的に調整される。これにより、キャップ部５２の端部５２ｂが台座部２６の表面２６ａによって支持されるとともに、キャップ部材５４の下端部（Ｘ１方向）が端部領域２４ａに開口された開口部２５の縁部２５ａに適宜載置される。したがって、緩衝部材２０の台座部２６は、キャップ部５２の端部５２ｂが接触する表面２６ａのみならず、キャップ部材５４が接触する端部領域２４ａにおける開口部２５の縁部２５ａによっても、Ｘ方向に作用する衝撃力を受け止めることが可能に構成されている。
【００３４】
また、図５に示すように、緩衝部材２０がＬＥＤ式蛍光灯５０とともに梱包箱１０に挿入された状態では、キャップ部５２と梱包箱１０との間に壁部２１ａ〜２１ｄおよび片部２２ａ〜２２ｄが差し込まれるので、光源部５１のカバー部材５１ａの外周面５１ｂと梱包箱１０の外側面部１１（側面部１１ａ）の内表面１１ｂとは、間隔Ｄ２（約５ｍｍ以上８ｍｍ以下）を有して離間されるようになる。これにより、光源部５１については円筒状に延びるこの空隙（間隔Ｄ２）によって梱包箱１０がカバー部材５１ａに常時接触しなくなるので、衝撃力を受けて内側に変形した外側面部１１に起因して、カバー部材５１ａに打痕（傷）が生じることが極力抑制されるように構成されている。
【００３５】
また、図６に示すように、緩衝部材２０を梱包箱１０に挿入する際、緩衝部材２０の梱包箱１０に対する管軸まわりの向きとしては、折曲線１０４（図３参照）を上（Ｚ１側）にして梱包箱１０に挿入することが好ましい。すなわち、底面部２３に継目なくそのまま接続される壁部２１ｂを上に向けることによって、壁部２１ｂの部分に下側（Ｚ２側）から折り返されて差し込まれる差込蓋１３の差込片部１３ａを、壁部２１ｂと内表面１１ｂとの間に容易に滑り込ませることが可能となる。このようにして、照明器具用梱包材３０は構成されている。
【００３６】
本実施形態では、上記のように、ＬＥＤ式蛍光灯５０とともに梱包箱１０に挿入されてＬＥＤ式蛍光灯５０への衝撃を緩和する緩衝部材２０を、キャップ部５２の側面部５２ｃを取り囲むとともに側方の衝撃を緩和する壁部２１ａ〜２１ｄと、キャップ部５２の端部５２ｂを管軸方向（Ｘ方向）から受け止めて管軸方向の衝撃を緩和する台座部２６とを含むように構成することによって、ＬＥＤ式蛍光灯５０は、緩衝部材２０によって端部５２ｂおよびその近傍の側面部５２ｃの周囲（Ｙ方向およびＺ方向）が取り囲まれた状態で梱包箱１０内に収納されるので、照明器具用梱包材３０が落下した場合など梱包箱１０に不意な衝撃力が加わったとしても、この衝撃力を緩衝部材２０によって受け止めることができる。この際、梱包箱１０の角部（端部）およびその近傍部分に加わる管軸方向（Ｘ方向）および管径方向（Ｙ方向、Ｚ方向）の衝撃力を、緩衝部材２０の台座部２６と壁部２１ａ〜２１ｄとによって各々確実に緩和することができるので、梱包箱１０に収納されたＬＥＤ式蛍光灯５０への衝撃力を適切に緩和することができる。このように、ＬＥＤ式蛍光灯５０への衝撃力が適切かつ確実に緩和されるので、衝撃力がＬＥＤ式蛍光灯５０に直接的に伝わらない分、ＬＥＤ式蛍光灯５０が破損することを効果的に抑制することができる。
【００３７】
また、本実施形態では、壁部２１ａ〜２１ｄを四角筒状に形成している。これにより、壁部２１ａ〜２１ｄによってＬＥＤ式蛍光灯５０の端部近傍の側面部分（キャップ部５２の側面部５２ｃ）を四方から取り囲むことができるので、衝撃が加わる方向（管径方向）に関係なく側方の衝撃を確実に緩和することができる。また、壁部２１ａ〜２１ｄが四角筒状であるので、このような緩衝部材２０を容易に形成することができる。
【００３８】
また、本実施形態では、光源部５１およびキャップ部５２を有する直管型のＬＥＤ式蛍光灯５０は、円筒状であり、梱包箱１０は、１本の円筒状のＬＥＤ式蛍光灯５０を収納可能に四角筒状に形成されている。そして、緩衝部材２０は、四角筒状の梱包箱１０に挿入可能でかつ円筒状のキャップ部５２の側面部を四方から取り囲む壁部２１ａ〜２１ｄを構成する内壁部２１と、内壁部２１に取り囲まれかつキャップ部５２の端部５２ｂと対向する位置に配置される台座部２６とを含む。これにより、四角筒状の梱包箱１０の内周面と四角筒形状を有する緩衝部材２０の外周面とを容易に嵌合させて緩衝部材２０を梱包箱１０に挿入することができる。この際、緩衝部材２０の管軸（Ｘ軸）まわりの回転が規制されるので、円筒状のＬＥＤ式蛍光灯５０を内部に安定的に収納することができる。
【００３９】
また、本実施形態では、壁部２１ａ〜２１ｄは、ＬＥＤ式蛍光灯５０を挿入するための開口縁部２１ｇが梱包箱１０側（外側）に折り曲げられた片部２２ａ〜２２ｄを有する。すなわち、緩衝部材２０は、開口縁部２１ｇにおいて内壁部２１（壁部２１ａ〜２１ｄ）よりも梱包箱１０側に折り返されて内壁部２１と梱包箱１０との間に配置される片部２２ａ〜２２ｄを有する。これにより、梱包箱１０側に折り曲げられた片部２２ａ〜２２ｄの復元力（弾性力：図５における矢印Ｑ１方向に作用する力）を利用して壁部２１ａ〜２１ｄの緩衝効果を高めることができるとともに、緩衝部材２０と緩衝部材２０とともに収納されたＬＥＤ式蛍光灯５０とが共に梱包箱１０内でがたつくことを容易に抑制することができる。
【００４０】
また、本実施形態では、ＬＥＤ式蛍光灯５０は、キャップ部５２の端部５２ｂから管軸方向（Ｘ１方向、Ｘ２方向）に突出する電極端子５３を有しており、緩衝部材２０の台座部２６は、キャップ部５２の端部５２ｂが対向した状態で電極端子５３を収納する開口部２５を有する。これにより、キャップ部５２の端部５２ｂに突起部となる電極端子５３が設けられていても電極端子５３によって緩衝機能に支障を来たすことなく台座部２６の緩衝機能を確実に機能させることができる。
【００４１】
また、本実施形態では、ＬＥＤ式蛍光灯５０は、直管状の光源部５１と、光源部５１の管軸方向（Ｘ方向）の両端部（Ｘ１側、Ｘ２側）に取り付けられる管状のキャップ部５２とを有しており、緩衝部材２０を、キャップ部５２の管軸方向の端部５２ｂと、キャップ部５２の側面部５２ｃとを取り囲んだ状態で、ＬＥＤ式蛍光灯５０とともに梱包箱１０に挿入されるように構成する。これにより、梱包箱１０内においては緩衝部材２０が梱包箱１０の長手方向（管軸方向）の両端部に配置されてＬＥＤ式蛍光灯５０を両側から保護することができる。したがって、照明器具用梱包材３０が落下した際などに衝撃力が集中しやすい梱包箱１０の角部（端部）およびその近傍部分が緩衝部材２０によって確実に保護されるので、梱包箱１０に収納されたＬＥＤ式蛍光灯５０に加わる衝撃力を効果的に緩和することができる。
【００４２】
また、本実施形態では、緩衝部材２０は、所定の平面形状を有して型抜きされた段ボール紙２を折り曲げることにより、キャップ部５２の端部５２ｂを管軸方向から受け止めて管軸方向の衝撃を緩和する台座部２６と、キャップ部５２の側面部５２ｃを取り囲むとともに側方の衝撃を緩和する壁部２１ａ〜２１ｄとが一体的に形成されるように構成されている。これにより、単一の段ボール紙２を元にして台座部２６の緩衝機能と壁部２１ａ〜２１ｄの緩衝機能とを併せ持つ、本発明の緩衝部材２０を容易に形成することができる。
【００４３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４４】
たとえば、上記実施形態では、包装資材としての段ボール紙２を折り曲げて緩衝部材２０を形成した例について示したが、本発明はこれに限られない。たとえば、梱包箱１０への衝撃を吸収・緩和可能に弾性変形する弾性部材などを用いて本発明の「側方緩衝部」および「底部緩衝部」を有する四角筒状の「緩衝部材」を構成してもよい。
【００４５】
また、上記実施形態では、円筒状のＬＥＤ式蛍光灯５０を梱包箱１０に収納する際にＬＥＤ式蛍光灯５０とともに梱包箱１０に挿入する緩衝部材２０を備えた例について示したが、本発明はこれに限られない。たとえば、外形が四角筒状を含む多角筒状に形成された直管型の照明器具を梱包箱１０に収納する際にも、本発明の緩衝部材を梱包箱１０に挿入して衝撃力を吸収させるように構成してもよい。
【００４６】
また、上記実施形態では、梱包箱１０を四角筒状に形成するとともに、緩衝部材２０を梱包箱１０に挿入可能（嵌合可能）に四角筒状に形成した例について示したが、本発明はこれに限られない。たとえば、梱包箱が円筒状に形成されるならば、緩衝部材も円筒状の梱包箱に挿入可能（嵌合可能）とすべく円筒状に形成してもよい。この場合、平面的に見て円形状に形成された本発明の「底部緩衝部」の周囲を周状に取り囲むように本発明の「側方緩衝部」を形成して緩衝部材を構成すればよい。また、この場合、「側方緩衝部」が「底部緩衝部」を完全に周状に取り囲んでもよいし、「側方緩衝部」が多角形状を有して「底部緩衝部」を取り囲んでもよい。このような緩衝部材を用いても、照明器具の管軸方向の端部および端部近傍の側面部分の周囲を取り囲んだ状態で照明器具を梱包箱内に収納することが可能である。
【００４７】
また、上記実施形態では、本発明の照明器具の一例としてＬＥＤ式蛍光灯５０を梱包箱１０に収納する例について示したが、本発明はこれに限られない。従来の陰極管による直管型の蛍光灯を梱包箱１０に収納する際にも本発明の緩衝部材を設けてもよい。
【００４８】
また、上記実施形態では、ＬＥＤ式蛍光灯５０のキャップ部５２および光源部５１のカバー部材５１ａが共に樹脂製からなる例について示したが、本発明はこれに限られない。キャップ部５２は、金属製であってもよいし、カバー部材５１ａは、ガラス製であってもよい。
【符号の説明】
【００４９】
１０  梱包箱
２０  緩衝部材
２１ａ、２１ｂ、２１ｃ、２１ｄ  壁部（側方緩衝部）
２２ａ、２２ｂ、２２ｃ、２２ｄ  片部（折曲片部）
２１ｅ  開口縁部
２５  開口部（収納部）
２６  台座部（底部緩衝部）
３０  照明器具用梱包材
５０  ＬＥＤ式蛍光灯（照明器具）
５１  光源部
５２  キャップ部
５２ｂ  端部
５２ｃ  側面部（側面部分）
５３  電極端子
【図１】
2013244973.tif 000003
【図２】
2013244973.tif 000004
【図３】
2013244973.tif 000005
【図４】
2013244973.tif 000006
【図５】
2013244973.tif 000007
【図６】
2013244973.tif 000008